(57)【要約】【課題】受信装置において、反射板を別途追加することなく、コンパクトに所望のアンテナ利得が得やすい受信装置を提供するという課題を解決することを目的とする。【解決手段】地上放送波を受信して、映像、音声、文字、データのいずれかの情報を出力する受信装置において、受信した電波に基づき情報を取得して出力する受信部と、受信部より給電され、第１周波数特性を有し、電波を受信する第１アンテナと、受信部より給電され、第２周波数特性を有し、電波を受信する第２アンテナと、受信部の少なくとも一部及び第２アンテナを第１アンテナの導波器又は反射器又は変向器としても使用する。【選択図】図１
2011193094.tif 000002
【特許請求の範囲】
【請求項１】
地上放送波を受信して、映像、音声、文字、データのいずれかの情報を出力する受信装置において、
受信した電波に基づき情報を取得して出力する受信部と、
前記受信部より給電され、第１周波数特性を有し、電波を受信する第１アンテナと、
前記受信部より給電され、第２周波数特性を有し、電波を受信する第２アンテナと、
を有し、
前記受信部の少なくとも一部、及び、前記第２アンテナを前記第１アンテナの導波器又は反射器又は変向器としても使用する、ことを特徴とする受信装置。
【請求項２】
前記第２アンテナを導波器又は反射器又は変向器として使用する周波数において、該アンテナは、該周波数の所望の利得が低い、ことを特徴とする請求項１に記載の受信装置。
【請求項３】
前記第２アンテナを導波器又は反射器又は変向器として使用する周波数における該第２アンテナの利得は、前記第１アンテナの利得に比べて低い、ことを特徴とする請求項１に記載の受信装置。
【請求項４】
前記第２アンテナは、少なくとも一部に面状の導電部を有する、ことを特徴とする請求項１に記載の受信装置。
【請求項５】
前記第１アンテナと第２アンテナを上下に配置する、ことを特徴する請求項１に記載の受信装置。
【請求項６】
前記第１アンテナ、又は第２アンテナはダイポールアンテナ又はモノポールアンテナ又はアレイアンテナである、ことを特徴とする請求項１に記載の受信装置。
【請求項７】
前記第１アンテナ及び第２アンテナは水平偏波利得が垂直偏波利得より高い、ことを特徴とする請求項１に記載の受信装置。
【請求項８】
前記第１アンテナ及び第２アンテナは水平面への射影が垂直面への射影より大きい、ことを特徴とする請求項１に記載の受信装置。
【請求項９】
受信部の少なくとも一部を第１アンテナ、又は、第２アンテナの接地面としても使用する、ことを特徴とする請求項１に記載の受信装置。
【請求項１０】
前記第１アンテナ及び第２アンテナとは異なる、少なくとも１つ以上のアンテナ又は導体を、更に備え、
前記アンテナ又は導体、及び第２アンテナ及び受信部を、前記第１アンテナの導波器又は反射器又は変向器としても使用する、ことを特徴とする請求項１に記載の受信装置。
【請求項１１】
前記第１アンテナ又は第２アンテナは、前記受信部に対して可動する、ことを特徴とする請求項１に記載の受信装置。
【請求項１２】
前記第１アンテナ又は第２アンテナのいずれかのアンテナは、他方のアンテナを前記受信部に対して連動させる、ことを特徴とする請求項１に記載の受信装置。
【請求項１３】
前記第１アンテナ又は第２アンテナは、前記受信部に組み込まれている、ことを特徴とする請求項１に記載の受信装置。
【請求項１４】
前記第１アンテナと第２アンテナは、一体で構成されている、ことを特徴とする請求項１に記載の受信装置。
【請求項１５】
前記受信部において、ダイバシティ合成した後に情報を取得する、ことを特徴とする請求項１に記載の受信装置。
【請求項１６】
前記受信部は、マルチキャリア方式の電波を受信して情報を出力する、ことを特徴とする請求項１に記載の受信装置。
【請求項１７】
前記受信部において、キャリア毎にダイバシティ合成した後に情報を取得する、ことを特徴とする請求項１６に記載の受信装置。
【請求項１８】
前記受信部は、ＭＩＭＯ又はＳＩＭＯ方式により伝送された電波を受信して情報を取得する、ことを特徴とする請求項１に記載の受信装置。
【発明の詳細な説明】
【技術分野】
【０００１】
本発明は、情報を伝送する電波をアンテナにて受信する受信装置に関し、特に、地上放送波を受信するアンテナを有する受信装置に関するものである。
【背景技術】
【０００２】
従来、特許文献１の図７には、筐体１００にアンテナ１２０、１３０が取り付けられ、筐体１００の空中線側の表面１１０は金属等の導体材料で構成され、反射器として機能する無線装置が開示されている。また、特許文献１の図１には、筐体１にアンテナ２、３が取り付けられ、筐体１から引き出し、又は、収納できる機構４２を持ち、反射器として機能する導体平板４０を持つ無線装置が開示されている。
【先行技術文献】
【特許文献】
【０００３】
【特許文献１】特開平９−１８２２７号公報
【発明の概要】
【発明が解決しようとする課題】
【０００４】
しかしながら、上記特許文献１の図７の無線装置は無線通信基地局用であって、コンパクトとは反射器追加分の高さを増すことが無いことを指している。そして、壁面等への設置を行い有指向性となるが、有指向性の詳細は開示されておらず、高所に設置されることが多い基地局と通信する、低所にあることが多い端末への指向性を持たせるには、アンテナ１２０と１３０だけでなく、反射器となる表面１１０でも指向性を持たせる必要がある。ここで、垂直な壁面へ設置した状態では、フラットな形状だけでは所望の指向性が持たせにくく、形状を変更する必要がある。つまり、本来の意味でのコンパクトな形状では所望の指向性が得られにくいという課題を有する。
【０００５】
また、上記特許文献１の図１の無線装置は、別途、反射器として導体平板４０が必要であるだけでなく、反射器を使用する際は、導体平板４０を引き出して使用するため、コンパクトでなくなるという課題を有する。
【０００６】
さらに、特許文献１で使用している直立したモノポールアンテナが水平面内で無指向となっているが、これは垂直偏波成分の場合であり、水平偏波成分での構成は開示されていない。また、水平偏波成分が無指向になるような構成も開示されていない。
【０００７】
また、表面１１０を導体材料で構成することにより形成される反射板と、筐体の前面板から突出するアンテナ１２０、１３０では、反射板とアンテナが導通しており、反射板としてではなく、反射板を含めたアンテナ全体が１つのアンテナとして指向性を持っていることになる。
【０００８】
本発明は上記従来の問題点を解決するためのものであり、反射板を別途追加することなく、コンパクトに所望のアンテナ利得が得やすい受信装置を提供することを目的とする。
【課題を解決するための手段】
【０００９】
上記目標を達成するために、本発明は、地上放送波を受信して、映像、音声、文字、データのいずれかの情報を出力する受信装置において、受信した電波に基づき情報を取得して出力する受信部と、受信部より給電され、第１周波数特性を有し、電波を受信する第１アンテナと、受信部より給電され、第２周波数特性を有し、電波を受信する第２アンテナと、を有し、受信部の少なくとも一部、及び、第２アンテナを、第１アンテナの導波器又は反射器又は変向器としても使用することを特徴とする。
【００１０】
また、上記目標を達成するために、第２アンテナを導波器又は反射器又は変向器として使用する周波数において、第２アンテナは、該周波数の所望の利得が低いことを特徴とする。
【００１１】
また、上記目標を達成するために、第２アンテナを導波器又は反射器又は変向器として使用する周波数における第２のアンテナの利得は、第１アンテナの利得に比べて低いことを特徴とする。
【００１２】
また、上記目標を達成するために、第２アンテナは、少なくとも一部に面状の導電部を有することを特徴とする。
【００１３】
また、上記目標を達成するために、第１アンテナと第２アンテナを上下に配置することを特徴する。
【００１４】
また、上記目標を達成するために、第１アンテナ又は第２アンテナはダイポールアンテナ又はモノポールアンテナ又はアレイアンテナであることを特徴とする。
【００１５】
また、上記目標を達成するために、第１アンテナ及び第２アンテナは水平偏波利得が垂直偏波利得より高いことを特徴とする。
【００１６】
また、上記目標を達成するために、第１アンテナ及び第２アンテナは水平面への射影が垂直面への射影より大きいことを特徴とする。
【００１７】
また、上記目標を達成するために、受信部の少なくとも一部を第１アンテナ又は第２アンテナの接地面としても使用することを特徴とする。
【００１８】
また、上記目標を達成するために、更に、少なくとも１つ以上のアンテナ又は導体を有し、該アンテナ又は導体、及び第2アンテナ及び受信部を第１アンテナの導波器又は反射器又は変向器としても使用することを特徴とする。
【００１９】
また、上記目標を達成するために、第１アンテナ又は第２アンテナは受信部に対して可動することを特徴とする。
【００２０】
また、上記目標を達成するために、第１アンテナ又は第２アンテナのいずれかのアンテナは他方のアンテナを受信部に対して連動させることを特徴とする。
【００２１】
また、上記目標を達成するために、第１アンテナ又は第２アンテナは受信部に組み込まれていることを特徴とする。
【００２２】
また、上記目標を達成するために、第１アンテナと第２アンテナは一体で構成されていることを特徴とする。
【００２３】
また、上記目標を達成するために、受信部において、ダイバシティ合成した後に情報を取得することを特徴とする。
【００２４】
また、上記目標を達成するために、マルチキャリア方式の電波を受信して情報を出力することを特徴とする。
【００２５】
また、上記目標を達成するために、受信部において、キャリア毎にダイバシティ合成した後に情報を取得することを特徴とする。
【００２６】
また、上記目標を達成するために、ＭＩＭＯ又はＳＩＭＯ方式により伝送された電波を受信して、受信部において情報を取得することを特徴とする。
【発明の効果】
【００２７】
本発明の受信装置の構成によれば、受信部の少なくとも一部及び第２アンテナを第１アンテナの導波器又は反射器又は変向器としても使用することにより、別途、導波器又は反射器又は変向器を用意しなくても、所望の指向性及び利得が得られ、材料及び製造費が削減でき、コンパクトでも高感度な受信装置を提供できるという効果が得られる。
【００２８】
また、面状の第２アンテナを用いることにより、受信や視聴に適した角度を調整しても、所望の指向性及び利得が得られ、高感度な受信装置を提供できるという効果や、イメージアンテナを構成するための電磁界上の自由度が上がり、より複雑な構成の第１アンテナや他の構成物にも対応することができるという効果や、第２アンテナの長さが十分に取れない時にも、共振周波数帯を広げることができ、所望の利得の高い帯域を得ることができるという効果や、マイクロストリップアンテナとして基板上に作成することができるようになり、後段の回路との整合をとるためのパターン追加や変更が容易になる等、製造が容易になるという効果が得られる。
【００２９】
また、スタンドに導体を追加することにより、所望の指向性及び利得が得られつつ、視聴に適した角度を保持するために必要な強度を補う効果や、受信装置の重心を下側に下げて倒れにくくなるという効果が得られる。
【図面の簡単な説明】
【００３０】
【図１】本発明の実施の形態１における受信装置の側面図
【図２】本発明の実施の形態１における受信装置の背面図
【図３】本発明の実施の形態１における受信装置の正面図
【図４】アンテナの指向性を示す第１図
【図５】アンテナの指向性を示す第２図
【図６】２つのアンテナの周波数特性を示す図
【図７】本発明の実施の形態２における受信装置の側面図
【図８】本発明の実施の形態２における受信装置の背面図
【図９】本発明の実施の形態３における受信装置の側面図
【図１０】本発明の実施の形態３における受信装置の背面図
【図１１】線状アンテナを傾けた配置の説明図
【発明を実施するための形態】
【００３１】
（実施の形態１）
以下、本発明の実施の形態１の受信装置について、図面を参照しながら説明する。図１と図２は本発明の受信装置を示す構成図である。図１は受信装置を側面から見た図、図２は背面から見た図であり、設置面１００上で受信部１０１にスタンド１０２が接して、受信部１０１を電波の受信や視聴に適した角度１０３で保持する。そして、電波を受信するため、ダイポールアンテナ１０４を給電線１０５の先に設置し、給電点１０７で給電する。スタンド１０２にもダイポールアンテナ１０６を設置し、給電点１０８で給電する。
【００３２】
図３は受信装置を正面から見た図であり、受信部１０１は、人間が認識可能な情報を出力する、静止画、動画、文字列、光等を表示する表示部２０１と、音声等を発音する発音部２０２と、例えば、プロジェクタやヘッドフォンなど、別の受信装置が認識可能な情報を出力する、静止画、動画、文字列、光等を表示可能な信号を出力する表示端子２０３と、音声等を発音する発音端子２０４とを有する。
【００３３】
受信装置における信号処理に関しては、伝送される情報が搬送された電波をアンテナ１０４や１０６にて受信し、受信後の信号を、適切な入力条件にて受信部１０１に入力し、受信部１０１に搭載されたチューナ及び情報処理部において、選局、ダイバシティ合成、復調、誤り訂正、情報源復号等を行い、表示部２０１、発音部２０２、表示端子２０３、発音端子２０４に、それぞれ所望の信号を出力する。
【００３４】
ここで、望ましい高感度な受信装置とするために、電波を受信する初段のアンテナを高利得化することが重要である。このために、指向性を制御して利得がピークとなる方向を強化する。そこでまず、ダイポールアンテナのようなピーク方向を持つアンテナを用いる。加えて、反射器を設けて、ピーク利得を強化する。反射器はアンテナに対し、ピーク利得方向で、受信電波の波長λの１／４離した位置に設置すればよく、反射器の長さはアンテナ長に対し長いものがよい。これに対し、導波器は、長さがアンテナ長に対し短いものがよい。
【００３５】
そして、受信装置を小型化するため、反射器を別途設けず、受信部１０１のアンテナ近傍に導電部分を設けて、これを反射器とする。更に、アンテナを受信部１０１近くに配置する。すると、λ／４が取れる方向が、地上放送波の到来方法であるほぼ水平方向ではなく、図４の１０９ように下向きになる場合がある。従って、地上放送波到来方向のピーク利得が低下する。
【００３６】
これを避けるため、更に、反射器を追加して、反射方向を上向きにし、地上放送波到来方向のピーク利得を向上させる。図５のようにスタンド１０２に浮遊導体１１０を無給電素子として設置し、アンテナ１０４との距離をλ／４にする。これにより、浮遊導体１１０が反射器となり、上向き１１１にピーク利得が向上する。そのため、受信部１０１による下向き１０９の利得向上方向が地上放送波到来方向１１２に向き、ピーク利得が改善する。
【００３７】
さらに、高感度な受信装置とするために、ダイバシティを用いる。これは、様々な指向性を持つ複数のアンテナにより受信した信号を選択合成や等利得合成、最大比合成等を行うことで、合成後の信号品質を向上させるものである。図１のように、ピーク利得の高いダイポールアンテナを用い、アンテナ長は効率の良いλ／２とする。これは、水平偏波の利得を上げるため、水平に設置する。そして、小型化するために、２本目のダイポールアンテナは１本目の下側となる、前述の浮遊導体１１０の位置に、代わりに配置する。ここで、地上放送波のように広帯域受信が必要な場合、小型装置ではアンテナが高利得で使用できる帯域が十分取れない場合がある。この場合、ダイバシティを活用して、複数のアンテナにより複数の帯域をカバーして、合成により広帯域化できる。すなわち、異なる周波数特性を持つアンテナを追加する。
【００３８】
図６は複数のアンテナの周波数特性を表す。第２アンテナ１０６は、第１アンテナ１０４より長くして反射器とするため、共振する波長が長くなり、利得の高い帯域は低域側３０１となる。逆に、第１アンテナは高域側３０２となる。周波数３０３では第２アンテナ１０６が第１アンテナ１０４より利得の高く、逆に、周波数３０４では第１アンテナ１０４が第２アンテナ１０６より利得が高い。また、第１アンテナの利得は周波数３０３が周波数３０４より低く、第２アンテナの利得は周波数３０４が周波数３０３より低い。
【００３９】
第２アンテナ１０６が周波数３０４で利得の低いのは、共振しておらず、定在波が弱いことから、十分なエネルギーが蓄えられていないためである。この状態を、給電していない浮遊導体と同様であるとみなして、図５の反射器として使用する。これにより、図５にて説明の通り、第１アンテナのピーク利得が向上する。なお逆に、周波数３０３で、第１アンテナを第２アンテナの反射器として用いてもよく、これにより、第２アンテナのピーク利得が向上する場合がある。
【００４０】
（実施の形態２）
以下、本発明の実施の形態２の受信装置について、図面を参照しながら説明する。図７と図８は本発明の受信装置を示す構成図である。図７は受信装置を側面から見た図、図８は受信装置を背面から見た図であり、アンテナ１０６が面状になっている点が特徴となっている。実施の形態２は実施の形態１と一部共通した構成を有しているため、異なる構成に関してのみ説明を行う。
【００４１】
受信や視聴に適した角度１０３を変更すると、受信部１０１とスタンド１０２の位置関係が変わり、スタンド１０２上で第１アンテナ１０４からの距離がλ／４になる位置が変化する可能性がある。ここで、面状のアンテナ１０６を用いることにより、面状のいずれかの位置でλ／４の距離が取れるようになり、角度１０３を調整しても反射器としての機能を維持することができる。また、面状にすることで、イメージアンテナを構成するための電磁界上の自由度が上がり、より複雑な構成の第1アンテナや他の構成物にも対応することができる。
【００４２】
そして、第２アンテナ１０６の長さが十分に取れない時に、利得の高い帯域が変化する可能性があるが、面状にすることにより、共振周波数帯を広げることができ、所望の利得の高い帯域を得ることができる。さらに、面状にすることで、マイクロストリップアンテナとして基板上に作成することができるようになり、後段の回路との整合をとるためのパターン追加や変更が容易になる等、製造が容易になる。
【００４３】
（実施の形態３）
以下、本発明の実施の形態３の受信装置について、図面を参照しながら説明する。図９と図１０は本発明の受信装置を示す構成図である。図９は受信装置を側面から見た図、図１０は受信装置を背面から見た図であり、導体４０１と４０２が追加されている点が特徴となっている。実施の形態３は実施の形態１や２と一部共通した構成を有しているため、異なる構成に関してのみ説明を行う。
【００４４】
スタンド１０２が視聴に適した角度を保持するために必要な強度を補うためや、重心を下側に持ってきて倒れにくくするために等で、導体４０１と４０２を追加する。これは、浮遊導体でも、受信部に接続してもよい。第２アンテナ１０６と導体４０１と４０２が成す電磁界を単一の仮想導体が成す電磁界であるとみなし、仮想導体が反射器となる条件を満たせば、実施の形態１と同様に地上放送波到来方向に指向性を持たせることができる。
【００４５】
これにより、スタンドやアンテナが複数に分割されていても反射器として使用できる。また、オプションとして後から装着したものも反射器としても使用できる。
【００４６】
（補足）
なお、本発明は上記各実施の形態で説明した内容に限定されないことは明らかである。すなわち、本発明は、地上放送波のいかなる電波の受信装置に用いてもよい。例えば、シングルキャリアやマルチキャリアに関わらず、テレビ放送、ラジオ放送や、データ放送、無線等の受信、通信、電波の測定等に用いてもよい。
【００４７】
また、全ての構成要素は図及び表記に示す構造だけでなく任意の構造を用いてもよい。例えば、スタンド１０２は左右１本づつ、合計２本でも、別構成の３本以上でもよく、ストレート形状だけでなく、Ｈ型、Ｘ型、凹型等のいかなる形状でもよく、受信部の下や横に付く台座型であってもよく、受信部の上や横に付く手持ちや壁掛け用のハンドルであってもよい。
【００４８】
また、いかなるアンテナもダイポールアンテナに限定するものではなく他の構成であってもよい。例えば、モノポールアンテナや、ホイップアンテナ、ロッドアンテナ、フォールデッドダイポールアンテナ、スリットアンテナ、ループアンテナ、パッチアンテナ、トップロードアンテナ、ミアンダアンテナ、ヘリカルアンテナ、Ｌ型アンテナ、逆Ｆ型アンテナ、八木アンテナ等であってもよい。
【００４９】
さらに、いかなるアンテナはいかなる形状であってもよい。例えば、線状アンテナを三角形状としたり、面状アンテナは平面状でも多角面状でも曲面状でもよく、スロットや切り込みを入れてもよく、複数の構成を組み合わせた形状としてもよい。
【００５０】
給電線１０５は、他の構造物と共に配置してもよく、アンテナ１０４との間に回路や部品や基板等のいかなるものを介在してもよい。給電点１０７や１０８もいかなる位置に変更してもよい。例えば、給電線１０５をレッヘル線として、受信部１０１付近にて給電してもよい。第２アンテナ側も同様である。
【００５１】
受信部１０１において、表示部２０１、発音部２０２、表示端子２０３、発音端子２０４を全て有しなくてもよく、これらのうち、少なくとも１つを有してもよい。
【００５２】
ダイバシティ合成はいかなる処理で行ってもよい。例えば、アンテナ受信後であっても、キャリア分割前であっても、キャリア毎であってもよい。また、ＭＩＭＯやＳＩＭＯ方式により伝送された電波を受信し、信号処理して情報を取得してもよい。
【００５３】
いかなるアンテナも、いかなる向きや形状であってもよい。例えば、第２アンテナはスタンド内だけでなく、スタンドの表面や、スタンド外にあってもよい。また、いかなるアンテナの素子は複数あってもよい。
【００５４】
いかなるアンテナや受信部１０１を反射器としてだけではなく、導波器として使用してもよい。そして、アンテナと反射器の反対方向や導波器の方向にピーク利得が来るようになるだけでなく、それ以外の方向にピーク利得が向くように指向性を変化させる変向器として用いてもよい。さらに、アンテナと反射器や導波器、変向器との間は、いかなる距離となってもよい。例えば、誘電体を設けて、距離を短縮してもよく、約λ／１４となってもよい。また、アンテナ長はいかなる長さであってもよく、反射器の長さはアンテナ長より短くてもよく、導波器の長さはアンテナ長より長くてもよい。例えば、アンテナ長を約λ／４としてもよく、反射器の少なくとも一部を面状構成としたり、導波器の少なくとも一部をミアンダとしてもよい。
【００５５】
いかなるアンテナは水平設置だけでなく、いかなる向きに設置してもよい。例えば、図１１は、線状アンテナを傾けた配置の説明図であり、簡略化のため、アンテナ部１０６以外の構成要素は省略し、アンテナ１０６の地面に対する垂直長４０１と水平長４０２を示す。水平に対して垂直側へ傾けた場合、水平偏波に対する指向特性は、アンテナ上を流れる電流の水平成分に基づいて定まり、垂直面への射影より水平面への射影が長い、つまり、垂直長より水平長が長いと電流の垂直成分より水平成分が強くなって、垂直偏波利得より水平偏波利得が高くなる。従って、地上放送波で用いられる水平偏波が強い環境での受信に適する構成となる。また、伝送路にてマルチパス反射等により偏波面が回転した場合等では、アンテナを水平から垂直側へ傾けた方が、より高感度になる場合がある。デザイン上や用途上、やむを得ず傾ける場合もある。
【００５６】
第２アンテナを第１アンテナの下側だけでなく、上側や横側等のいかなる位置に配置してもよく、両者を一体に構成してもよく、いずれかを受信部に組み込んでもよい。
【００５７】
第１アンテナと第２アンテナは、いかなる周波数特性を持ってもよい。例えば、第１アンテナが高域側、第２アンテナが低域側であってもよく、複数の帯域を各々が持ってもよく、所望の全帯域をカバーしてもよい。
【００５８】
いかなるアンテナも接地が必要な場合は、受信部１０１の一部を接地面として使用した構成だけでなく、いかなる場所や部分を使用してもよい。例えば、スタンド１０２や設置面１００、導体４０１や４０２等の一部を利用してもよい。また、導体４０１や４０２はいかなるアンテナであってもよい。
【００５９】
いかなるアンテナも、回路を追加して構成してもよい。例えば、抵抗やインダクタ、キャパシタ、トランジスタ、ダイオード等を用いてもよい。また、給電線上にいかなる回路を設けてもよい。例えば、整合や増幅等のための回路を追加してもよい。
【００６０】
いかなるアンテナも、アンテナの向きを制御する制御部を受信装置に更に設けて、所望の偏波での利得を得られるよう移動や変形を行ってもよい。また、アレイアンテナで構成してもよい。
【００６１】
地上放送波到来方向となるのは、ピーク利得方向だけでなく、それ以外の方向であってもよい。
【００６２】
収納性や携帯性等を持たせるため、受信部に対しそれ以外の構成要素を可動できるようにしてもよい。例えば、スタンドを関節やスライダ、脱着部品等で受信部へ接続してもよく、受信部に他の部分が沿うように折り畳めてもよく、他の部分を脱着できてもよい。また、いかなる部分の動作が連動してもよい。例えば、スタンド１０２を動かすと、第１アンテナ１０４と第2アンテナが連動して動いてもよい。
【００６３】
受信装置を同じ処理を実現可能な受信回路で構成してもよい。受信回路は少なくとも一部を集積回路で実現してもよい。この集積回路は、ＬＳＩ、ＣＰＵ、ＤＳＰ、ＧＰＵ、ＭＰＵ、ＦＰＧＡ、リコンフィギャラブルプロセッサ等で構成されてもよく、半導体技術とは別の技術で回路化、集積化してもよい。例えば、光信号処理や量子工学に基づく回路や集積回路でもよい。集積回路で行われる処理の一部は、プログラムで実現してもよい。このプログラムは記録媒体メディア上や、通信サービス上のコンテンツとして提供してもよい。
【００６４】
全ての実施の形態や補足のいかなる一部を組み合わせて実施してもよい。例えば、ループアンテナの一部を用いて反射器や導波器、変向器等を構成してもよい。
【産業上の利用可能性】
【００６５】
本発明の受信装置は、情報を伝送する電波をアンテナにて受信する受信装置として有用である。特に、地上放送波を受信するアンテナを有する受信装置に適している。
【符号の説明】
【００６６】
１００  設置面
１０１  受信部
１０２  スタンド
１０３  受信や視聴に適した角度
１０４  第1アンテナ
１０５  給電線
１０６  第２アンテナ
１０７  第１給電点
１０８  第２給電点
【図１】
2011193094.tif 000003
【図２】
2011193094.tif 000004
【図３】
2011193094.tif 000005
【図４】
2011193094.tif 000006
【図５】
2011193094.tif 000007
【図６】
2011193094.tif 000008
【図７】
2011193094.tif 000009
【図８】
2011193094.tif 000010
【図９】
2011193094.tif 000011
【図１０】
2011193094.tif 000012
【図１１】
2011193094.tif 000013